(57)【特許請求の範囲】
【請求項１】
ＣＰＵを保持して基板上の特定箇所に移送しかつ組み込むためのＣＰＵ用挿抜治具であって、
前記ＣＰＵのヘッド部上面に当接する当接面を有する保持体と、
この保持体の外周面を成す一つの対向側面のそれぞれに設けられ前記ＣＰＵを側面で係着自在に保持する一対の側面保持部とを有し、
前記保持体に前記ＣＰＵのヘッド部を収容し当該ヘッド部の左右へのズレを抑制する収容凹部を設けると共に、当該収容凹部の深さ寸法を前記ＣＰＵのヘッド部の厚さ寸法より小さな寸法に設定し、
前記一対の側面保持部の内の何れか一方を、前記ＣＰＵに対する係着，離間を自在に設定する係着自在構造を備えた構成とし、
前記係着自在構造を備えた側面保持部の前記ＣＰＵの離間動作を行うツメ部を有する可動ツメ部材を当該側面保持部に設け、この側面保持部と前記他方の側面保持部とで前記ＣＰＵの側面を押圧して保持する構成とし、
前記可動ツメ部の前記ＣＰＵの顎部の一方の側面と係合し保持する部位の高さ寸法を当該顎部の高さ寸法より大きな寸法に設定したことを特徴とするＣＰＵ用挿抜治具。
【請求項２】
請求項１に記載のＣＰＵ用挿抜治具において、
前記一方の側面保持部の係着自在構造を、
前記保持体の平面と直交する面内で外部に向けて前記可動ツメ部材を揺動可能に支持する軸部材と、
この軸部材に装備され前記可動ツメ部材を前記ＣＰＵ側に付勢する付勢部材と、を備えて構成したことを特徴とするＣＰＵ用挿抜治具。
【請求項３】
請求項２に記載のＣＰＵ用挿抜治具において、
前記付勢部材をねじりコイルバネで構成すると共に、このねじりコイルバネの一端を前記保持体に固定し、ねじりコイルバネの他端を前記一方の側面保持部に固定したことを特徴とするＣＰＵ用挿抜治具。
【請求項４】
請求項３に記載のＣＰＵ用挿抜治具において、
前記一方の側面保持部に、前記ねじりコイルバネの前記軸部材への装着作業を行うための貫通開口部を前記一方の側面保持部の厚さ方向に形成したことを特徴とするＣＰＵ用挿抜治具。
【請求項５】
請求項４に記載のＣＰＵ用挿抜治具において、
前記レバー部を、前記一方の側面保持部の上部に延設したことを特徴とするＣＰＵ用挿抜治具。
【請求項６】
請求項５に記載のＣＰＵ用挿抜治具において、
前記保持体の上面に前記レバー部操作用の取手部材を設け、この取手部材を、前記保持体の前記一対の側面保持部の間の中央近傍に前記軸部材と平行にかつ長手方向に延びて設けると共に、前記取手部材の長さ方向両端部にそれぞれ前記保持体の上面から上方に突出した把持部を形成したことを特徴とするＣＰＵ用挿抜治具。
【発明の詳細な説明】
【技術分野】
【０００１】
本発明はＣＰＵ用挿抜治具に係り、さらに詳しくは、基板上にあるＣＰＵソケットにＣＰＵ端子ピンを曲げることなく実装し、あるいは、ＣＰＵソケットからＣＰＵを容易に外すことが出来るＣＰＵ用挿抜治具に関する。
【背景技術】
【０００２】
ＣＰＵは、パソコンの内部に搭載されている装置の中で最も重要な部品の一つであるため、そのＣＰＵを、基板上のＣＰＵソケットに実装、あるいは、取り外す際の取り扱いに最大の注意が必要となる。
【０００３】
従来、ＣＰＵソケットにＣＰＵを実装、あるいは、ＣＰＵをＣＰＵソケットから外すのは、作業者が直接指でＣＰＵのフランジ部を挟んで作業することが多かった。
【０００４】
上記のように、手で直接挟んで行う作業の他に、ＣＰＵを、ＣＰＵソケットに実装、取り外しするための装置が多く知られている。
例えば、特許文献１には、ＩＣクリップが開示されている。このＩＣクリップでは、本体とこの本体に装備されたリードを把持する構造となっており、本体の対向する２つの側面と、それらの側面と直交する方向のリードとの両方を把持するようになっている。
また、特許文献２には、ＩＣ挿入工具が開示されている。このＩＣ挿入工具では、挟持板でＩＣを挟み込んで保持する構造となっている。
さらに、特許文献３には、簡易集積回路抜去器が開示されている。この簡易集積回路抜去器では、ソケットに実装されている集積回路を容易に取り外す構造となっている。
【先行技術文献】
【特許文献】
【０００５】
【特許文献１】特開平７−３２６６９４公報
【特許文献２】実開平２−９５３００公報
【特許文献３】実開昭６１−１４４９７４公報
【発明の概要】
【発明が解決しようとする課題】
【０００６】
しかし、作業者が直接指でＣＰＵのフランジ部を挟んで作業する場合、次のような課題が生じている。
すなわち、ＣＰＵをＣＰＵソケットに実装作業中に、力の加減や、ＣＰＵのフランジ部を挟む位置によりＣＰＵを水平に保持しながら垂直に降ろすことが出来ず、ＣＰＵの端子ピンがＣＰＵソケットに接触して、端子ピンの曲がりが発生するという課題がある。
また、ＣＰＵをＣＰＵソケットから外す作業中に、力の加減やＣＰＵフランジを挟む位置によりＣＰＵを水平に保持しながら垂直に持ち上げることが出来ず、外す作業に時間が掛かっている。
さらに、ハンドリング中に誤ってＣＰＵを落下させてしまい、ＣＰＵを破損するという不具合を生じることがある等の不具合や効率化課題が発生していた。
【０００７】
また、上記各特許文献１〜３では、それぞれ、四方向を把持するため構造が複雑であったり、ＩＣのリード端子を手で曲げておく必要があるため面倒であったり、集積回路を取り外すだけの構造で、装着できなかったり等の課題がある。
〔発明の目的〕
【０００８】
本発明の目的は、基板上にあるＣＰＵソケットにＣＰＵの端子ピンを曲げることなく容易に実装出来ると共に、ＣＰＵソケットからＣＰＵを容易に外すことが出来るＣＰＵ用挿抜治具を提供することにある。
【課題を解決するための手段】
【０００９】
前記目的を達成するために、本発明のＣＰＵ用挿抜治具は、ＣＰＵを保持して基板上の特定箇所に移送しかつ組み込むためのＣＰＵ用挿抜治具であって、
前記ＣＰＵのヘッド部上面に当接する当接面を有する保持体と、
この保持体の外周面を成す一つの対向側面のそれぞれに設けられ前記ＣＰＵを側面で係着自在に保持する一対の側面保持部とを有し、
前記保持体に前記ＣＰＵのヘッド部を収容し当該ヘッド部の左右へのズレを抑制する収容凹部を設けると共に、当該収容凹部の深さ寸法を前記ＣＰＵのヘッド部の厚さ寸法より小さな寸法に設定し、
前記一対の側面保持部の内の何れか一方を、前記ＣＰＵに対する係着，離間を自在に設定する係着自在構造を備えた構成とし、
前記係着自在構造を備えた側面保持部の前記ＣＰＵの離間動作を行うツメ部を有する可動ツメ部材を当該側面保持部に設け、この側面保持部と前記他方の側面保持部とで前記ＣＰＵの側面を押圧して保持する構成とし、
前記ツメ部の前記ＣＰＵの顎部の一方の側面と係合し保持する部位の高さ寸法を当該顎部の高さ寸法より大きな寸法に設定したことを特徴とする。
【発明の効果】
【００１０】
本願発明のＣＰＵ用挿抜治具によれば、保持体の当接面をＣＰＵのヘッド部上面に当接させた状態で、一対の側面保持部のうち可動ツメ部材を備えた側面保持部と、他方の側面保持部とにより、ＣＰＵの側面を押圧して保持することができる。この際、可動ツメ部材だけの揺動動作のみでＣＰＵを保持することができる。その結果、ＣＰＵに直接指が触れることなくＣＰＵを基板上の特定箇所に移送し、かつ固定することが可能となり、安定した装着が可能となる。
また、可動ツメ部材を備えたＣＰＵ用挿抜治具で保持されたＣＰＵを、水平に維持しながら基板上に垂直に降ろすことが出来、実装作業中に発生したＣＰＵ端子ピンがＣＰＵソケットに接触して発生する端子ピン曲がりの不具合を回避出来るようになる。
さらに、可動ツメ部材を備えたＣＰＵ用挿抜治具により基板上からＣＰＵを垂直に持ち上げることが出来、ＣＰＵの取り外し作業が容易になり、作業時間の効率化が可能となる。
【図面の簡単な説明】
【００１１】
【図１】本発明に係るＣＰＵ用挿抜治具の第１実施形態を示す全体平面図である。
【図２】図１におけるII矢視図である。
【図３】図２におけるIII矢視図である。
【図４】前記実施形態のＣＰＵ用挿抜治具によりＣＰＵを把持する前の状態を表し、図１におけるIV−IV線に沿った断面図である。
【図５】前記実施形態のＣＰＵ用挿抜治具を構成する本体ベース部の要部を示す平面図である。
【図６】前記実施形態のＣＰＵ用挿抜治具を構成する可動ツメ部材を示す全体斜視図である。
【図７】図６におけるVII矢視図である。
【図８】図６におけるVIII矢視図である。
【図９】本発明に係るＣＰＵ用挿抜治具の第２実施形態を示す全体平面図である。
【図１０】本発明に係るＣＰＵ用挿抜治具の第３実施形態を示す全体平面図である。
【発明を実施するための形態】
【００１２】
以下に、図１〜３を参照して、本発明に係るＣＰＵ用挿抜治具１０の第１実施形態を詳細に説明する。
【００１３】
図1は、本実施形態のＣＰＵ用挿抜治具１０を示す全体平面図であり、図２は、図１におけるII矢視の側面図であり、図３は、図１におけるIII矢視の側面図である。
【００１４】
図１〜３に示すように、本実施形態のＣＰＵ用挿抜治具１０は、ＣＰＵ５０を保持して、図示しない基板上の特定箇所に移送しかつ組み込むためのものである。
そして、ＣＰＵ５０は、ヘッド部５０Ａ、フランジ部５０Ｂおよび端子ピン５０Ｃとを有し、平面形状が略四角形形状となっている。
【００１５】
ＣＰＵ用挿抜治具１０は、保持体である本体ベース部材１１を備えて構成されており、この本体ベース部材１１は、ＣＰＵ５０のヘッド部５０Ａの上面５０Ｄと当接する当接面１１Ｊを有している。また、本体ベース部材１１は、ＣＰＵ５０の外形形状に合わせて平面形状が略四角形形状となっている。
【００１６】
この本体ベース部材１１の一つの対向する側面、つまり、一方の側面１１Ｂと他方の側面１１Ｃには、ＣＰＵ５０を側面で係着自在に保持する一対の側面保持部を構成する可動ツメ部材１２と固定ツメ部１１Ａがそれぞれ設けられている。
【００１７】
そして、ＣＰＵ用挿抜治具１０において、上記一対の側面保持部の内の何れか一方、本実施形態では可動ツメ部材１２が、ＣＰＵ５０に対する係着、離間を自在とする係着自在構造Ｍを備えた構成とされている。
また、この係着自在構造Ｍによる可動ツメ部材１２の離間動作を付勢するレバー部１２Ｂが当該可動ツメ部材１２に設けられている。
係着自在構造Ｍについては、後に詳細を説明する。
【００１８】
前記固定ツメ部１１Ａは、本体ベース部材１１の他方の側面１１Ｃに、当該側面１１Ｃから外方に突出して設けられ、突出した部位の下面がＣＰＵ５０のフランジ部５０Ｂの一方の側面に当接するツメ部１１ＡＡとなっている。そして、このツメ部１１ＡＡの内側面がＣＰＵ５０を把持する固定ツメ部１１Ａの側面を構成している。
なお、固定ツメ部１１Ａは、本体ベース部材１１の一方および他方の側面１１Ｂ，１１Ｃと直交する方向の略中央部に形成されており、ＣＰＵ５０の一方の幅方向の略中央部を把持できるようになっている。
【００１９】
本体ベース部材１１の一方の側面１１Ｂには、当該本体ベース部材１１の平面と直交する面内で揺動可能とすると共にフランジ部５０Ｂの他方の側面に当接しかつ押圧可能なツメ部１２Ａを有する前記可動ツメ部材１２が設けられている。
【００２０】
また、本体ベース部材１１の一方の側面１１Ｂには、その側面１１Ｂから外方に突出すると共にその側面１１Ｂと直交する方向（図１において上下方向）に所定間隔をおいて、上記可動ツメ部材１２を挟み込み支持可能な２つの軸支持部１１Ｄ，１１Ｄが設けられている。
ここで、これらの軸支持部１１Ｄ，１１Ｄ間は、図５に示すように、幅寸法Ｗで奥行寸法Ｄの収容空間Ｓとなっている。そして、この収容空間Ｓ内に、上述したように、前記可動ツメ部材１２が収容されるようになっている。また、軸支持部１１Ｄ，１１Ｄの内部には、それぞれ同一中心線上に軸挿通孔１１Ｈ，１１Ｈがあけられている。
【００２１】
上記軸挿通孔１１Ｈ，１１Ｈには、図１，３に示すように、軸部材１３が挿通されるようになっている。この軸部材１３は、不勢部材であるねじりコイルバネ１４を介して、上記可動ツメ部材１２を垂直面内で揺動可能に支持出来るようになっている。
【００２２】
前述のように、軸支持部１１Ｄ，１１Ｄ間の収容空間Ｓ内に収容される可動ツメ部材１２は、図６に示すような形状に形成されている。
すなわち、可動ツメ部材１２は、全体形状が略細長のマッチ箱形状に形成され、図６において、下端部に全体厚さ寸法Ｄ１より薄くなった厚さ寸法のツメ部１２Ａが形成されている。そして、このツメ部１２Ａの内側面がＣＰＵ５０を把持する可動ツメ部材１２の側面を構成している。
【００２３】
また、全体幅寸法Ｗ１の可動ツメ部材１２の下部において、幅方向中央部には、所定幅で、かつ全体厚さ寸法Ｄ１にわたって貫通開口部１２Ｄが形成されている。この貫通開口部１２Ｄは、図７に示すように、幅寸法がＷ２、高さ寸法がＨとなっている。この高さ寸法Ｈは、前記本体ベース部材１１の厚さ寸法と略同じ寸法となっている。
【００２４】
貫通開口部１２Ｄは、前記軸部材１３にねじりコイルバネ１４を巻回して装着するための作業用として設けられたものである。したがって、可動ツメ部材１２において、貫通開口部１２Ｄの両側の肉厚の部位には、軸部材１３が挿通する軸挿通孔１２Ｈ，１２Ｈがあけられている。これらの軸挿通孔１２Ｈ，１２Ｈは、前記軸支持部１１Ｄ，１１Ｄにあけられた前記軸挿通孔１１Ｈ，１１Ｈと連通するようになっている。
【００２５】
ここで、軸部材１３にねじりコイルバネ１４を装着する際には、まず、一方の軸支持部１１Ｄの軸挿通孔１１Ｈから可動ツメ部材１２の内部にあけられている一方の軸挿通孔１２Ｈに向けて軸部材１３を差し込み、その軸部材１３の先端が貫通開口部１２Ｄ内に現れた時点で、予め形成されているコイルバネ１４を軸部材１３に巻回して装着する。
【００２６】
次に、コイルバネ１４の一端を本体ベース部材１１の前記収容空間Ｓに臨む位置に形成されているバネ固定溝１１Ｆ（図５参照）に挿入して固定し、コイルバネ１４の他端を可動ツメ部材１２の内面に形成されているバネ固定溝１２Ｆ（図６参照）に挿入して固定する。
【００２７】
そして、軸部材１３の先端をさらに押し込み、可動ツメ部材１２の内部にあけられている他方の軸挿通孔１２Ｈを貫通させた後、先端を前記Ｃリング１６で止めて軸部材１３が抜けないようにする。
ここで、軸部材１３Ｃの端部を、Ｃリング１６に換えて割りピン等で止めてもよい。
【００２８】
上記ねじりコイルバネ１４は、図４に示すように、可動ツメ部材１２を本体ベース部材１１に対して常時離れる方向に付勢するように構成されている。すなわち、可動ツメ部材１２のツメ部１２Ａを常時フランジ部５０Ｂの側面側に押し付けるようになっている。
【００２９】
以上に説明したように、可動ツメ部材１２は、２つの軸支持部１１Ｄ，１１Ｄと軸部材１３とにより、本体ベース部材１１の平面と直交する面内で外部に向けて揺動可能とされており、軸部材１３には、上記可動ツメ部材１２を前記ＣＰＵ５０側に付勢するねじりコイルバネ１４が装備されている。そして、これらの各部材、つまり、軸部材１３とねじりコイルバネ１４を備えて前記係着自在構造Ｍが構成されている。
【００３０】
以上のような可動ツメ部材１２のツメ部１２Ａと反対側の端部は、図４に示すように、レバー部１２Ｂとなっている。そして、このレバー部１２Ｂは、バネ部材１４の付勢力に反してツメ部１２Ａをフランジ部５０Ｂの側面から離す方向に揺動させる、つまり、可動ツメ部材１２のＣＰＵ５０からの離間動作を付勢させるように操作するものである。
【００３１】
図４に示すように、固定ツメ部１１Ａにおいて、ＣＰＵ５０のフランジ部５０Ｂと係合する部位の高さ寸法ｈは、フランジ部５０Ｂの高さ寸法ｈと略同じ高さとなっている。そのため、固定ツメ部１１Ａは確実にＣＰＵ５０のフランジ部５０Ｂを固定することが出来る。
【００３２】
また、可動ツメ部材１２のツメ部１２Ａにおいて、ＣＰＵ５０のフランジ部５０Ｂの他方の側面と係合する部位の高さ寸法ｈ２は、フランジ部５０Ｂの高さ寸法ｈより高い寸法となっている。さらに、ツメ部１２Ａの厚さ寸法は、固定ツメ部１１Ａの厚さ寸法より厚く形成されている。そのため、可動ツメ部材１２が揺動する場合でも、確実にフランジ部５０Ｂの側面に当接することが出来る。そして、固定ツメ部１１Ａと可動ツメ部材１２とで確実にＣＰＵ５０のフランジ部５０Ｂを把持することが出来る  。
【００３３】
図１〜４に示すように、本体ベース部材１１の底面には、ＣＰＵ５０のヘッド部５０Ａを収容する収容凹部１１Ｅが形成されている。収容凹部１１Ｅの底面は、ヘッド部５０Ａの上面５０Ｄと当接する当接面１１Ｊとなっている。
ここで、本体ベース部材１１の収容凹部１１Ｅの深さ寸法は、ＣＰＵ５０のヘッド部５０Ａの高さ寸法以下に設定されており、本体ベース部材１１をＣＰＵ５０のヘッド部５０Ａに押し付けたとき、収容凹部１１Ｅの当接面１１Ｊとヘッド部５０Ａの上面５０Ｄとが確実に当接し、密着して把持することが出来るようになっている。
【００３４】
図１〜４に示すように、本体ベース部材１１の上面には、可動ツメ部材１２のレバー部１２Ｂを操作するための取手部材１５が設けられている。この取手部材１５は、本体ベース部材１１の固定ツメ部１１Ａと可動ツメ部材１２との間の中央近傍に設けられており、所定幅で軸部材１３と平行にかつ長手方向に延びて設けられている。
【００３５】
取手部材１５は、図３に示すように、その長さ方向両端部に本体ベース部材１１の上面１１Ｇから上方に突出した２つの把持部１５Ａ，１５Ｂを有し、側面視略凹状形状に形成されている。
２つの把持部１５Ａ，１５Ｂは、ＣＰＵ用挿抜治具１０を使用する際、それらの把持部１５Ａ，１５Ｂを、例えば、親指と中指とで挟んだ状態で、人差し指で可動ツメ部材１２のレバー部１２Ｂを操作できるように形成されている。
【００３６】
次に、本実施形態のＣＰＵ用挿抜治具１０によりＣＰＵ５０を把持する手順を説明する。  
【００３７】
まず、作業担当者が、本体ベース部材１１上の取手部材１５の把持部１５Ａ，１５Ｂを親指と中指で挟んで保持する。
この時、可動ツメ部材１２のレバー部１２Ｂに人差し指が掛かるようにする。つまり、図１において、上側の把持部１５Ａに親指を引っ掛け、図１において、下側の把持部１５Ａに中指を引っ掛けた状態で、人差し指が可動ツメ部材１２のレバー部１２Ｂに引っ掛かるようにする。
【００３８】
この後、このままの状態でＣＰＵ用挿抜治具１０をＣＰＵ５０の真上に移動すると共に、ゆっくりＣＰＵ５０上に降ろす。
【００３９】
さらに、ＣＰＵ用挿抜治具１０の底面に形成されたＣＰＵ５０収容凹部１１Ｅ内に、ＣＰＵ５０のヘッド部５０Ａの上面５０Ｄが当接し密着するまで降下させる。
しかし、ＣＰＵ用挿抜治具１０をそのままの状態で降下させるとすると、可動ツメ部材１２のツメ部１２ＡがＣＰＵ５０のフランジ部５０Ｂと接触するので、前述のように、人差し指で可動ツメ部材１２のレバー部１２Ｂを手前に引っ張る。
そうすると、可動ツメ部材１２のツメ部１２Ａが、図４に仮想線で示すように、バネ部材１４の付勢力に抗してフランジ部５０Ｂに接触しないように初期の状態からハの字状に広がる。
【００４０】
その状態で、ＣＰＵ用挿抜治具１０を降下させ、その収容凹部１１Ｅ内の当接面１１Ｊに、ＣＰＵ５０のヘッド部５０Ａの上面５０Ｄが当接し密着したら、人差し指を可動ツメ部材１２のレバー部１２Ｂから放すと、可動ツメ部材１２は初期の位置に戻り、可動ツメ部材１２のツメ部１２ＡがＣＰＵ５０のフランジ部５０Ｂを押圧し、これにより、固定ツメ部１１Ａとの協働でＣＰＵ５０のフランジ部５０Ｂを把持して固定する。
【００４１】
これらの一連の動作により、収容凹部１１Ｅの内面の当接面１１ＪとＣＰＵ５０のヘッド部５０Ａの上面５０Ｄとが当接し、隙間なく密着する。
その結果、ＣＰＵ用挿抜治具１０はＣＰＵ５０をしっかりと把持し、確実なハンドリングが可能となる。
以上に説明したように、ＣＰＵ用挿抜治具１０は、可動ツメ部材１２だけの揺動動作のみでＣＰＵ５０をしっかりと把持することが出来る。
【００４２】
ＣＰＵ基板上からＣＰＵ５０を取り外すには、上記に説明した動作と逆の動作を行えばよい。
すなわち、まず、ＣＰＵ用挿抜治具１０を基板上の所定のＣＰＵ５０の上方に位置させた後、水平状態で降下させる。そして、本体ベース部材１１の収容凹部１１Ｅ内にＣＰＵ５０のヘッド部５０Ａが収容する前の段階で、可動ツメ部材１２のレバー部１２Ｂを取手部材１５側に引っ張り、可動ツメ部材１２のツメ部１２Ａを開く。
【００４３】
その状態で、ＣＰＵ用挿抜治具１０をさらに降下させて、本体ベース部材１１の収容凹部１１Ｅ内にＣＰＵ５０のヘッド部５０Ａを収容させる。その後、可動ツメ部材１２のレバー部１２Ｂから指を離し、可動ツメ部材１２のツメ部１２Ａを初期の位置に戻し、固定ツメ部１１Ａと可動ツメ部材１２のツメ部１２ＡとでＣＰＵ５０を把持する。
そして、ＣＰＵ用挿抜治具１０を上方に引っ張ることで、基板上のソケットからＣＰＵ５０を取り外す。
【００４４】
以上のような構成のＣＰＵ用挿抜治具１０によれば、次のような効果が得られる。
（１）本体ベース部材１１の収容凹部１１Ｅ内に設定された当接面１１Ｊと、ＣＰＵ５０のヘッド部５０Ａの上面５０Ｄとを当接させた状態で、固定ツメ部１１Ａと可動ツメ部材１２のツメ部１２ＡとによりＣＰＵ５０を保持することができる。可動ツメ部材１２が係着自在構造Ｍを備えた構成となっているので、レバー部１２Ｂを作用させることで、ＣＰＵ５０を基板上に係着自在に実装することが出来る。その結果、ＣＰＵ５０に直接指が触れることなく基板上に固定することが可能となり、安定した装着が可能となる。
【００４５】
（２）ＣＰＵ用挿抜治具１０を使うことで、ＣＰＵ５０を水平に保持しながらＣＰＵソケット上に垂直に降ろすことが出来るので、実装作業中に発生したＣＰＵ端子ピン５０ＣがＣＰＵソケットに接触して発生する端子ピン５０Ｃの曲がりの不具合を回避出来るようになる。
【００４６】
（３）ＣＰＵ用挿抜治具１０を使うことで、ＣＰＵソケットからＣＰＵ５０を垂直に持ち上げることが出来るので、ＣＰＵ５０の取り外し作業が容易になり、作業時間の効率化を図ることが出来る。
【００４７】
（４）固定ツメ部１１Ａと可動ツメ部材１２とが、それぞれ本体ベース部材１１の一方および他方の側面１１Ｂ，１１Ｃの幅方向中央近傍に設けられ、これらの固定ツメ部１１Ａと可動ツメ部材１２とによりＣＰＵ５０のフランジ部５０Ｂの側面中央近傍を把持できるので、バランスよく把持することが出来る。
【００４８】
（５）本体ベース部材１１の他方の側面１１Ｃに可動ツメ部材１２を収容する収容空間Ｓが形成されると共に、この収容空間Ｓの左右両隣に軸支持部１１Ｄ，１１Ｄが設けられ、収容空間Ｓに可動ツメ部材１２を挟んで各軸支持部１１Ｄ，１１Ｄ間に軸部材１４が連通されるので、可動ツメ部材１２を安定して支持することが出来る。
【００４９】
（６）本体ベース部材１１の底面に収容凹部１１Ｅが形成されており、この収容凹部１１Ｅ内にＣＰＵ５０のヘッド部５０Ａが収容されるようになっているが、この際、収容凹部１１Ｅの当接面１１Ｊとヘッド部５０Ａの上面５０Ｄとが当接し、密着して収容されるので、ＣＰＵ５０の左右のずれを防止することが出来、安定かつ確実に保持することが出来る。
【００５０】
（７）本体ベース部材１１の収容凹部１１Ｅの深さ寸法が、ＣＰＵ５０のヘッド部５０Ａの高さ寸法以下に設定されているので、本体ベース部材１１をＣＰＵ５０のヘッド部５０Ａに押し付けたとき、収容凹部１１Ｅの当接面１１Ｊとヘッド部５０Ａの上面５０Ｄとが確実に当接し、密着して把持することが出来るので、安定かつ確実に保持することが出来る。
【００５１】
（８）本体ベース部材１１の上面１１Ｇに取手部材１５が取付けられ、この取手部材１５の長さ方向両端に把持部１５Ａ，１５Ａが設けられているので、これらの把持部１５Ａ，１５Ａを親指と中指とで挟み、人差し指で可動ツメ部材１２のレバー部１２Ｂを操作できるようになっているので、ＣＰＵ用挿抜治具１０によるＣＰＵ５０の把持を容易に行えるようになる。
【００５２】
次に、図９を参照して、本発明に係るＣＰＵ用挿抜治具の第２実施形態を詳細に説明する。
図９は、本第２実施形態のＣＰＵ用挿抜治具２０が前記ＣＰＵ５０を把持した状態を示す側面図であり、前記第１実施形態の図２に相当するものである。
【００５３】
本第２実施形態のＣＰＵ用挿抜治具２０は、本体ベース部材２１の底面を、ＣＰＵ５０におけるヘッド部５０Ａの上面５０Ｄと当接する当接面２１Ｊとすると共に、ＣＰＵ５０のフランジ部５０Ｂの側面を、固定ツメ部２１Ａと可動ツメ部材２２のツメ部２２Ａとで係着自在に把持できるようにしたものである。
【００５４】
すなわち、前記第１実施形態のＣＰＵ用挿抜治具１０では、本体ベース部材１１の底面にＣＰＵ５０のヘッド部５０Ａを収容する収容凹部１１Ｅを形成した構成であったが、本第２実施形態のＣＰＵ用挿抜治具２０では、本体ベース部材２１にＣＰＵ５０のヘッド部５０Ａを収容する収容凹部が形成されていないものである。
そのため、本第２実施形態では、固定ツメ部２１Ａと可動ツメ部材２２のツメ部２２Ａとの長さが、ヘッド部５０Ａの厚さ分だけ長くなっているが、係着自在構造Ｍ等、全体的な構成はほとんど同じである。
【００５５】
以上に説明した第２実施形態のＣＰＵ用挿抜治具２０によれば、前記（１）〜（８）と略同様の効果の他、次のような効果を得ることが出来る。
（９）本体ベース部材２１にＣＰＵ５０のヘッド部５０Ａを収容するための収容凹部を形成しなくてもよいので、その分の手間を省くことができる。
【００５６】
次に、図１０を参照して、本発明に係るＣＰＵ用挿抜治具の第３実施形態を詳細に説明する。
図１０は、本第３実施形態のＣＰＵ用挿抜治具３０が前記ＣＰＵ５０を把持した状態を示す側面図であり、前記第１実施形態の図２に相当するものである。
【００５７】
本第３実施形態のＣＰＵ用挿抜治具３０は、本体ベース部材３１の底面を、ＣＰＵ５０におけるヘッド部５０Ａの上面５０Ｄと当接する当接面３１Ｊとすると共に、ＣＰＵ５０のフランジ部５０Ｂの側面を、固定ツメ部３１Ａと可動ツメ部材３２のツメ部３２Ａとで係着自在に把持できるようにしたものである。
【００５８】
すなわち、前記第１実施形態のＣＰＵ用挿抜治具１０では、本体ベース部材１１の底面にＣＰＵ５０のヘッド部５０Ａを収容する収容凹部１１Ｅを形成した構成であったが、本第３実施形態のＣＰＵ用挿抜治具３０では、本体ベース部材３１にＣＰＵ５０のヘッド部５０Ａを収容する収容凹部が形成されていないものである。
本第３実施形態では、上述のように、ＣＰＵ５０のフランジ部５０Ｂの側面を、固定ツメ部３１Ａと可動ツメ部材３２のツメ部３２Ａとで把持するようになっているため、固定ツメ部３１Ａと可動ツメ部材３２のツメ部３２Ａとの長さが、フランジ部５０Ｂの厚さ分だけ短くなっているが、係着自在構造Ｍ等、全体的な構成はほとんど同じである。
【００５９】
以上に説明した第３実施形態のＣＰＵ用挿抜治具２０によれば、前記（１）〜（９）と略同様の効果を得ることが出来る。
【００６０】
以上、上記実施形態を参照して本発明を説明したが、本発明は上記実施形態に限定されるものではない。本発明の構成や詳細については、当業者が理解し得るさまざまな変更を加えることが出来る。また、本発明には、上記実施形態の構成の一部又は全部を相互に適宜組み合わせたものも含まれる。
【００６１】
例えば、前記実施形態では、付勢部材を軸部材１３に巻回したねじりコイルバネ１４で構成したが、これに限らない。可動ツメ部材１２の内面と本体ベース部材１１の上面１１Ｇとの間に、開き角度を９０度以上に形成した断面Ｌ字形状の板バネを架けわたした構成としてもよい。そして、このようにしても、可動ツメ部材１２を揺動可能とすることが出来る。
【００６２】
（付記１）
ＣＰＵを保持して基板上の特定箇所に移送しかつ組み込むためのＣＰＵ用挿抜治具であって、
前記ＣＰＵのヘッド部上面に当接する当接面を有する保持体と、
この保持体の外周面を成す一つの対向側面のそれぞれに設けられ前記ＣＰＵを側面で係着自在に保持する一対の側面保持部とを有し、
この一対の側面保持部の内の何れか一方を、前記ＣＰＵに対する係着，離間を自在に設定する係着自在構造を備えた構成とし、
前記係着自在構造を備えた側面保持部の前記ＣＰＵの離間動作を行う可動ツメ部材を当該側面保持部に設け、この側面保持部と前記他方の側面保持部とで前記ＣＰＵの側面を押圧して保持することを特徴とするＣＰＵ用挿抜治具。
【００６３】
（付記２）
付記１に記載のＣＰＵ用挿抜治具において、
前記保持体を前記ＣＰＵの形状に合わせて四角形状とすると共に、前記一対の側面保持部のそれぞれを前記ＣＰＵのヘッド部を保持する位置に突設したことを特徴とするＣＰＵ用挿抜治具。
【００６４】
（付記３）
付記１に記載のＣＰＵ用挿抜治具において、
前記保持体を前記ＣＰＵの形状に合わせて四角形状とすると共に、前記一対の側面保持部のそれぞれを前記ＣＰＵの顎部を保持する位置に突設したことを特徴とするＣＰＵ用挿抜治具。
【００６５】
（付記４）
付記３に記載のＣＰＵ用挿抜治具において、
前記保持体に前記ＣＰＵのヘッド部を収容し当該ヘッド部の左右へのズレを抑制する収容凹部を設けたことを特徴とするＣＰＵ用挿抜治具。
【００６６】
（付記５）
付記４に記載のＣＰＵ用挿抜治具において、
前記一方の側面保持部の係着自在構造を、
前記保持体の平面と直交する面内で外部に向けて前記可動ツメ部材を揺動可能に支持する軸部材と、
この軸部材に装備され前記可動ツメ部材を前記ＣＰＵ側に付勢する付勢部材と、を備えて構成したことを特徴とするＣＰＵ用挿抜治具。
【００６７】
（付記６）
付記５に記載のＣＰＵ用挿抜治具において、
前記付勢部材をねじりコイルバネで構成すると共に、このねじりコイルバネの一端を前記保持体に固定し、ねじりコイルバネの他端を前記一方の側面保持部に固定したことを特徴とするＣＰＵ用挿抜治具。
【００６８】
（付記７）
付記６に記載のＣＰＵ用挿抜治具において、
前記一方の側面保持部に、前記ねじりコイルバネの前記軸部材への装着作業を行うための貫通開口部を前記一方の側面保持部の厚さ方向に形成したことを特徴とするＣＰＵ用挿抜治具。
【００６９】
（付記８）
付記３に記載のＣＰＵ用挿抜治具において、
前記レバー部を、前記一方の側面保持部の上部に延設したことを特徴とするＣＰＵ用挿抜治具。
【００７０】
（付記９）
付記８に記載のＣＰＵ用挿抜治具において、
前記保持体の上面に前記レバー部操作用の取手部材を設け、この取手部材を、前記保持体の前記一対の側面保持部の間の中央近傍に前記軸部材と平行にかつ長手方向に延びて設けると共に、前記取手部材の長さ方向両端部にそれぞれ前記保持体の上面から上方に突出した把持部を形成したことを特徴とするＣＰＵ用挿抜治具。
【産業上の利用可能性】
【００７１】
本願発明のＣＰＵ用挿抜治具は、パソコン、サーバー製品の制御ボード組み立てラインのＣＰＵ５０実装現場、パソコン、サーバー製品の保守作業現場およびパソコン、サーバー製品の制御ボード等のトラブルシューティング現場等で利用出来る。
【符号の説明】
【００７２】
１０  ＣＰＵ用挿抜治具（第１実施形態）
１１  保持体である本体ベース部
１１Ａ  一対の側面保持部を構成する固定ツメ部
１１Ｂ  一つの対向側面を構成する一方の側面
１１Ｃ  一つの対向側面を構成する他方の側面
１１Ｄ  軸支持部
１１Ｅ  収容凹部
１１Ｆ  バネ固定用溝
１２  係着自在構造を有し一方の側面保持部を構成する可動ツメ部材
１２Ａ  側面を構成するツメ部
１２Ｂ  レバー部
１２Ｄ  貫通開口部
１２Ｆ  バネ固定用溝
１３  係着自在構造を構成する軸部材
１４  付勢部材であるねじりコイルバネ
１５  取手部材
２０  ＣＰＵ用挿抜治具（第２実施形態）
３０  ＣＰＵ用挿抜治具（第３実施形態）
５０  ＣＰＵ
５０Ａ  ヘッド部
５０Ｂ  フランジ部
５０Ｃ  端子ピン
【図１】
0005613947.tif 000002
【図２】
0005613947.tif 000003
【図３】
0005613947.tif 000004
【図４】
0005613947.tif 000005
【図５】
0005613947.tif 000006
【図６】
0005613947.tif 000007
【図７】
0005613947.tif 000008
【図８】
0005613947.tif 000009
【図９】
0005613947.tif 000010
【図１０】
0005613947.tif 000011